(57)【要約】【課題】眼鏡のつるの遊びのない案内を行う。【解決手段】蝶番軸（７）により互いに関節結合される２つの蝶番部分（４，５）を持つ眼鏡用ばね蝶番の一方の蝶番部分（４）が、蝶番ハウジング（１）内で引込みばね力に抗して移動可能に支持され、心出し装置を介して蝶番ハウジング（１）に支持される他方の蝶番部分（５）が、両方の蝶番部分（４，５）の伸長状態で蝶番ハウジング（１）の端面と共同作用するストッパ面（８，９）を持っている。本発明により、他方の蝶番部分（５）のストッパ面（８，９）と蝶番ハウジング（１）の端面との間に設けられる心出し装置が、蝶番軸（７）の周方向に延びる少なくとも１つの心出し溝（１０）と、両方の蝶番部分（４，５）の伸長状態でこの心出し溝（１０）へはまる少なくとも１つの心出し突起（１１）を含んでいる。【選択図】図２
2008257256.tif 000002
【特許請求の範囲】
【請求項１】
蝶番軸により互いに関節結合される２つの蝶番部分を持つ眼鏡用ばね蝶番であって、一方の蝶番部分が、蝶番ハウジング内で引込みばね力に抗して移動可能に支持され、心出し装置を介して蝶番ハウジングに支持される他方の蝶番部分が、両方の蝶番部分の伸長状態で蝶番ハウジングの端面と共同作用するストッパ面を持っているものにおいて、他方の蝶番部分（５）のストッパ面（８，９）と蝶番ハウジング（１）の端面との間に設けられる心出し装置が、蝶番軸（７）の周方向に延びる少なくとも１つの心出し溝（１０）と、両方の蝶番部分（４，５）の伸長状態でこの心出し溝（１０）へはまる少なくとも１つの心出し突起（１１）を含んでいることを特徴とする、ばね蝶番。
【請求項２】
心出し突起（１１）が蝶番ハウジング（１）の端面に付属し、心出し溝（１０）が他方の蝶番部分（５）のストッパ面（８，９）に付属していることを特徴とする、請求項１に記載のばね蝶番。
【請求項３】
心出し溝（１０）が他方の蝶番部分（５）の全揺動角にわたって延びていることを特徴とする、請求項１に記載のばね蝶番。
【請求項４】
蝶番ハウジング（１）の端面において、蝶番ハウジング（１）内に移動可能に案内される一方の蝶番部分（４）の中央蝶番板（３）の両側にそれぞれ１つの心出し突起（１１）が設けられ、中央蝶番板（３）を受入れる他方の蝶番部分（５）の蝶番板（６）が、ストッパ面（８，９）の範囲に心出し突起（１１）を受入れるそれぞれ１つの心出し溝（１０）を持っていることを特徴とする、請求項１〜３の１つに記載のばね蝶番。
【発明の詳細な説明】
【技術分野】
【０００１】  本発明は、蝶番軸により互いに関節結合される２つの蝶番部分を持つ眼鏡用ばね蝶番であって、一方の蝶番部分が、蝶番ハウジング内で引込みばね力に抗して移動可能に支持され、心出し装置を介して蝶番ハウジングに支持される他方の蝶番部分が、両方の蝶番部分の伸長状態で蝶番ハウジングの端面と共同作用するストッパ面を持っているものに関する。
【背景技術】
【０００２】  眼鏡用ばね蝶番は、蝶番継手の損傷のおそれなしに、ストッパにより規定される蝶番継手の伸長状態を越えるのを可能にし、少なくともばね弾性ストッパによる伸長状態を保証する。眼鏡用ばね蝶番は種々の実施形態で公知であるけれども、すべてのばね蝶番に共通することは、蝶番軸により互いに関節結合される両方の蝶番部分の一方が蝶番ハウジング内に移動可能に支持され、蝶番ハウジング内へ引込むため少なくとも１つのばねの作用を受けることである。他方の蝶番部分は、少なくとも両方の蝶番部分の伸長状態で、ストッパ面を介して、ばね予荷重を受けて蝶番ハウジングの端面に支持されるので、それにより伸長状態が固定されている。眼鏡のつるがこの伸長状態を越えて揺動されると、蝶番ハウジング内に支持される蝶番部分が、ばねの力に抗してずらされて、ストッパにより限定される伸長状態を越えるつるの揺動運動を可能にする。伸長状態だけでなく眼鏡の縁へ向けて揺動されるつるの状態を保証するため、蝶番ハウジングの端面に９０°の開き角を持つＶ字状切欠きを設けることが公知であり（欧州特許出願公開第０７３６７９０号明細書）、眼鏡の縁に結合される蝶番部分の直角突起が、９０°だけずれた２つの回転位置でこの切欠きへはまることができる。２つ又は１つの揺動位置でこの蝶番部分の弾性支持が行われるか否かに関係なく、蝶番ハウジング内に移動可能に支持される蝶番部分のために充分な案内遊びが必要になり、この案内遊びの範囲内で眼鏡のつるの限られた半径方向移動可能性が生じるが、少なくともつるの使用状態でこの半径方向移動はできるだけ回避されねばならない。【０００３】  更に眼鏡の縁に属する蝶番部分を、蝶番ハウジング内の移動案内部により形成される軸に関して相対回転しないように蝶番ハウジングに対して支持するために、蝶番ハウジングにその端面から突出する突起を設け、眼鏡の縁に属する蝶番部分の両方の二又状蝶番板の間にこの突起がはまるようにすることが公知である（国際公開第ＷＯ０３／０７１３３８号）。このはまり合いも若干の案内遊びをもって行わねばならないので、つるの揺動の必要な容易さを保証するために、眼鏡の使用状態における遊びのないつる支持は行われない。
【発明の開示】
【発明が解決しようとする課題】
【０００４】  従って本発明の基礎になっている課題は、蝶番ハウジング内に支持される蝶番部分の容易な移動可能性を危うくすることなしに、眼鏡のつるの充分遊びのない案内を保証できるように、最初にあげた種類のばね蝶番を構成することである。
【課題を解決するための手段】
【０００５】  本発明は、他方の蝶番部分のストッパ面と蝶番ハウジングの端面との間に設けられる心出し装置が、蝶番軸の周方向に延びる少なくとも１つの心出し溝と、両方の蝶番部分の伸長状態でこの心出し溝へはまる少なくとも１つの心出し突起を含んでいることによって、与えられた課題を解決する。【０００６】  蝶番ハウジングと蝶番ハウジング内に移動可能に支持されてない蝶番部分との間に設けられる、蝶番軸の周方向に延びる心出し溝及び少なくとも両方の蝶番部分の伸長状態でこの心出し溝にはまる心出し突起の形の心出し装置によって、両方の蝶番部分が蝶番ハウジングに対して充分遊びなしに固定されるので、眼鏡のつるに対しそれに応じて遊びのない案内が行われる。つるの限られた揺動範囲に設けられる心出し装置でも、心出し溝への心出し突起の確実なはまり合いが行われる。蝶番ハウジング内に移動可能に支持される蝶番部分の引込みばね荷重は、蝶番ハウジング内に支持されない蝶番部分のストッパ面をハウジング端面へ弾性的に押付けるのを可能にするので、心出し突起はなるべく楔状断面を持つ心出し溝へ遊びなしにはまり、しかも心出し突起がハウジング端面に付属するか又はストッパ面に付属するかに関係なくはまる。【０００７】  心出し突起は原則的に一方の蝶番部分のストッパ面にも設けることができるけれども、心出し突起が蝶番ハウジングの端面に付属し、心出し溝が他方の蝶番部分のストッパ面に付属していると、有利な構造条件が生じる。なぜならば、特に心出し装置のはまり合いを常に保証するため、心出し溝が他方の蝶番部分の全揺動角にわたって延びている時、蝶番部分のストッパ面が、心出し突起を設けられるより簡単に心出し溝を設けられるからである。【０００８】  つるを心出し装置に一層よく支持するため、蝶番ハウジングの端面において、蝶番ハウジング内に移動可能に案内される一方の蝶番部分の中央蝶番板の両側にそれぞれ１つの心出し突起が設けられ、中央蝶番板を受入れる他方の蝶番部分の蝶番板が、ストッパ面の範囲に心出し突起を受入れるそれぞれ１つの心出し溝を持っているので、ばね蝶番の中央蝶番板の両側でつるの心出しが行われる。【０００９】  図面には本発明の対象の例が示されている。
【発明を実施するための最良の形態】
【００１０】  図１〜３によるばね蝶番は、従来のように眼鏡のつるに結合可能な蝶番ハウジング１を持ち、中央蝶番板３を形成する蝶番部分４の摺動片２がこの蝶番ハウジング１内に移動可能に案内されている。この摺動片２は、蝶番部分４を蝶番ハウジング１内へ引込む方向にばねの作用を受ける。眼鏡の頬片に結合可能な蝶番部分５は、中央蝶番板３を両側で包囲する２つの蝶番板６を持っている。ねじの形で蝶番板３及び６を貫通する蝶番軸は７で示されている。眼鏡頬片に属する蝶番部分５は２つのストッパ面８及び９を持ち、これらのストッパ面８，９が蝶番ハウジング１の端面と共同作用し、一方では図面に示す蝶番部分４，５の伸長状態従ってつるの伸長状態を規定し、他方では眼鏡枠の方へ折り畳まれるつるの位置を規定する。なぜならば、蝶番継手のそれぞれの揺動位置でストッパ面８，９が摺動片２に作用するばねにより、蝶番ハウジング１の端面へ押付けられるからである。【００１１】  ハウジング端面へのストッパ面８，９の弾性押付けは、つるの遊びなし案内のために有利に利用することができる。この目的のため蝶番ハウジング１の端面とストッパ面８，９との間に、断面が楔状の心出し溝１０とこの心出し溝１０へはまる心出し突起１１から形成される心出し装置が設けられている。図１〜３による実施例では、蝶番部分５の両方の蝶番板６の各々が、両方のストッパ面８，９にわたって延びる心出し溝１０を持ち、蝶番ハウジング１の端面に蝶番縁の形の適当な心出し突起１１が設けられ、心出し溝のように蝶番軸７の周方向に延びているので、蝶番部分５は蝶番ハウジング１に対して蝶番軸７の方向に遊びなしに保持される。なぜならば、蝶番部分４の引込みばね荷重のため、心出し突起１１が心出し溝１０へ押込まれるからである。心出し溝１０及び心出し突起１１が蝶番軸７の周方向に延びているため、蝶番継手の揺動可能性が、心出し溝１０へ心出し突起１１が常にはまるため蝶番継手の全揺動範囲にわたって有効な心出し装置により、妨げられることはない。【００１２】  図４〜６によるばね蝶番は、図１〜３による蝶番とは、大体において心出し装置の種類においてのみ相違している。なぜならば、心出し装置は、蝶番継手の伸長状態のために、蝶番部分５のストッパ面８と蝶番ハウジング１の端面との間でのみ有効になるからである。心出し溝１０は、蝶番ハウジング１の端面の部分範囲にわたって延びるストッパ面８の範囲に設けられている。このことは、蝶番ハウジング１に結合されるつるが、伸長状態従ってその使用状態においてのみ遊びなしに保持されることを意味するが、これは眼鏡の使用のために充分である。
【図面の簡単な説明】
【００１３】
【図１】  眼鏡の本発明によるばね蝶番を簡単化した側面図で示す。
【図２】  このばね蝶番を平面図で示す。
【図３】  図１のＩＩＩ−ＩＩＩ線による断面図を示す。
【図４】  本発明によるばね蝶番の構造変形例の図１に相当する図を示す。
【図５】  図４によるばね蝶番を平面図で示す。
【図６】  図４及び５によるばね蝶番を部分的に心出し装置の範囲において図４のＶＩ−ＶＩ線による拡大断面図で示す。
【符号の説明】
【００１４】  １          蝶番ハウジング
４，５      蝶番部分
【図１】
2008257256.tif 000003
【図２】
2008257256.tif 000004
【図３】
2008257256.tif 000005
【図４】
2008257256.tif 000006
【図５】
2008257256.tif 000007
【図６】
2008257256.tif 000008